(57)【特許請求の範囲】
【請求項１】
ベルト成形体が駆動ロールとテンションロールとの間に巻き掛けられ、駆動ロールを回転させながら前記駆動ロールに対しカット刃を押し付けて、前記ベルト成形体を輪切りにするＶリブドベルトの幅カット装置において、
前記駆動ロールの外周部に、成形するベルト形状に対応する複数の断面三角形状の凸部が形成され、
予定する輪切り位置に対応する部位の凸部は、先端部が切断されて断面台形状とされ、輪切り位置に対応しない部位の凸部の高さよりも低く形成されていることを特徴とするＶリブドベルトの幅カット装置。
【請求項２】
さらに、前記駆動ロールは、予定する輪切り位置に対応する部位で先端部が切断されて断面台形状とされている凸部の外周面と略同一径の切り込み調整用の弾性ロール部を備えるところの請求項１記載のＶリブドベルトの幅カット装置。
【請求項３】
前記駆動ロールは、軸部材に取り外し可能に取り付けられ、Ｖリブドベルトのタイプに応じて、交換可能であるところの請求項１または２記載のＶリブドベルトの幅カット装置。
【発明の詳細な説明】
【０００１】
【発明の属する技術分野】
本発明は、Ｖリブドベルトの幅カット装置、特にそれに用いられる駆動ロールの構造に関するものである。
【０００２】
【従来の技術】
従来、Ｖリブドベルト等の伝動ベルトを製造する場合には、研削後の半製品を、最終的には、製品幅となるように幅カットする工程があるが、この工程において、ベルトの幅精度を向上させるためにベルト断面と同一形状のプーリにベルト成形体を巻き掛けて回転させつつ、幅カットが行われる。
【０００３】
【発明が解決しようとする課題】
しかしながら、かかる幅カットにおいては、カッターをベルト成形体に切り込ませるため、ベルト断面と同一の形状のプーリを用いると、ベルト成形体をカットした後カッターがプーリと干渉するおそれがある。
【０００４】
本発明はかかる点に鑑みてなされたもので、プーリとの干渉を生ずることなく、幅カットできるＶリブドベルトの幅カット装置を提供することを目的とする。
【０００５】
【課題を解決するための手段】
請求項１の発明は、ベルト成形体が駆動ロールとテンションロールとの間に巻き掛けられ、駆動ロールを回転させながら前記駆動ロールに対しカット刃を押し付けて、前記ベルト成形体を輪切りにするＶリブドベルトの幅カット装置において、前記駆動ロールの外周部に、成形するベルト形状に対応する複数の断面三角形状の凸部が形成され、予定する輪切り位置に対応する部位の凸部は、先端部が切断されて断面台形状とされ、輪切り位置に対応しない部位の凸部の高さよりも低く形成されていることを特徴とする。
【０００６】
よって、予定する輪切り位置に対応する部位の凸部の高さが、輪切り位置に対応しない部位の凸部の高さよりも低く形成されていることから、カッターによって駆動ロールとの干渉を生ずることなく、幅カットが行われる。
【０００７】
【０００８】
特に、予定する輪切り位置に対応する部位の凸部は、先端部が切断されて断面台形状とされるので、簡単な構造でもって、輪切り位置に対応しない部位の凸部の高さよりも低く形成される。
【０００９】
請求項２の発明は、請求項１のＶリブドベルトの幅カット装置において、さらに、前記駆動ロールが、予定する輪切り位置に対応する部位で先端部が切断されて断面台形状とされている凸部の外周面と略同一径の切り込み調整用の弾性ロール部を備える。
【００１０】
【００１１】
請求項３の発明は、請求項１または２のＶリブドベルトの幅カット装置において、前記駆動ロールが、軸部材に取り外し可能に取り付けられ、Ｖリブドベルトのタイプに応じて、交換可能である。
【００１２】
よって、駆動ロールが、Ｖリブドベルトのタイプに応じて、交換可能とされていることから、いずれのタイプのＶリブドベルトにも適用可能である。
【００１３】
【発明の実施の形態】
以下、本発明の実施の形態を図面に基づいて説明する。
【００１４】
概略構成を示す図１及び図２において、１はＶリブドベルトの幅カット装置で、ベルト成形体（図示せず）が駆動ロール３とテンションロール４との間に巻き掛けられ、駆動ロール３を回転させながら前記駆動ロール３に対しカッター手段５を適用して、前記ベルト成形体を最終製品幅に輪切りにするものである。
【００１５】
前記駆動ロール３は、ベース台１１上に回転可能に軸支された軸部１２の一端部に設けられ、該軸部１２の他端部にタイミングプーリ１３が設けられている。このタイミングプーリ１３は、タイミングベルト１４を介して、モータ１５にて回転駆動されるタイミングプーリ１６に連係されている。
【００１６】
一方、テンションロール４は、ベース台１１に対し昇降可能に設けられた昇降台２２に回転可能に設けられ、駆動ロール３とテンションロール４との間隔を、ベルト成形体の長さに応じて、調整できるようになっている。即ち、昇降台２２側のスライダ２６が、ベース台１１に設けられ上下方向に延びるガイドレール２７に沿って昇降するようになっている。
【００１７】
前記テンションロール４の軸部２３が、軸受けハウジング２４の軸受け部２４ａに回転可能に支承され、軸受けハウジング２４の軸部２４ｂが、昇降台２２の軸受け部材２５に回転可能に支持されている。
【００１８】
前記カッター手段５は、刃物台３１上に回転可能に支持されたカッター３２を有し、刃物台３１が、可動台３３上に取り付けられている。刃物台３１上には、係合部３４ａを有するロッド部材３４が設けられ、該係合部３４ａがカム部材３５に係合することで、モータ３６にて回転駆動されるカム部材３５の回転によりカッター３２の動作が制御されるようになっている。
【００１９】
また、前記ベース台１１には、傾斜取付面４０ａを有する補助ベース台４０が取り付けられ、該補助ベース台４０の傾斜取付面４０ａにねじ棒部材３７が回転可能に支持されると共に、そのねじ棒部材３７を挟んでガイドレール４１，４１が平行に設けられている。その一方、前記可動台３３の下面にはねじ棒部材３７に回転可能に螺合するナット部材（図示せず）及び、ガイドレール４１，４１にスライド可能に係合するスライダ３９，３９が設けられている。これによって、前記ねじ棒部材３７がモータ３８にて回転駆動されることで、可動台３３すなわち刃物台３１が、駆動ロール３の軸線方向に移動し、それに巻き掛けられているベルト成形体を所定のカット幅にカッター３２にてカットできるようになっている。
【００２０】
上記駆動ロール３には、図４に示すように、駆動ロール３の外周部に、成形するベルト形状に対応する複数の断面三角形状の凸部３ａ，・・，３ｂ，・・が形成されている。そして、予定する輪切り位置に対応する部位の凸部３ａ，・・は、その先端部が切断されて断面台形状とされ、その高さが、輪切り位置に対応しない部位の凸部３ｂ，・・の高さよりも低くなるように形成されている。
【００２１】
また、前記駆動ロール３は、予定する輪切り位置に対応する部位で先端部が切断されて断面台形状とされている凸部３ａ，・・の外周面と略同一径の切り込み調整用の弾性ロール部４１を備え、該弾性ロール部４１にカッター３２の先端を当てることで切り込み位置の調整ができるようになっている。
【００２２】
さらに、前記駆動ロール３は、ボルト４２を介して軸部材４３に取り付けられ、取り外し可能となっている。よって、かかる駆動ロール３を、Ｖリブドベルトのタイプに応じて、交換することができる。
【００２３】
よって、上記のように構成すれば、予定する輪切り位置に対応する部位の凸部３ａの高さが、輪切り位置に対応しない部位の凸部３ｂの高さよりも低く形成されていることから、カッター３２によって駆動ロール３との干渉を生ずることなく、幅カットを行うことができる。
【００２４】
しかも、前記予定する輪切り位置に対応する部位の凸部３ａは、先端部を切断されて断面台形状とし、輪切り位置に対応しない部位の凸部３ｂの高さよりも低くなるようにしているので、簡単な構造でもって、予定する輪切り位置に対応する部位の凸部３ａを、輪切り位置に対応しない部位の凸部の高さよりも低く形成することができる。
【００２５】
また、前記駆動ロール３が、予定する輪切り位置に対応する部位で先端部が切断されて断面台形状とされている凸部３ａの外周面と略同一径の切り込み調整用の弾性ロール部４１を備えているので、弾性ロール部４１の外周面を基準にして、カッター３２の切り込み量の調整を簡単に行うことができる。
【００２６】
さらに、前記駆動ロール３は、ボルト４２を介して軸部材１２に取り付けられており、取り外し可能で交換できるようになっているので、かかる駆動ロール３を、Ｖリブドベルトのタイプに応じて、交換することができ、単一の幅カット装置で、複数種類のＶリブドベルトについての幅カットを行うことができる。
【００２７】
【発明の効果】
本発明は、以上説明したような形態で実施され、以下に述べるような効果を奏する。
【００２８】
請求項１の発明は、上記のように、予定する輪切り位置に対応する部位の凸部の高さを、輪切り位置に対応しない部位の凸部の高さよりも低く形成しているので、カッターによって駆動ロールとの干渉を生ずることなく、幅カットを精度よく行うことができる。
【００２９】
また、予定する輪切り位置に対応する部位の凸部を、先端部を切断して断面台形状とすることで、輪切り位置に対応しない部位の凸部の高さよりも低く形成するようにしているので、簡単な構成で、予定する輪切り位置に対応する部位の凸部を、輪切り位置に対応しない部位の凸部の高さよりも低く形成することが可能となる。
【００３０】
請求項２の発明は、予定する輪切り位置に対応する部位で先端部が切断されて断面台形状とされている凸部の外周面と略同一径の切り込み調整用の弾性ロール部を備えるようにしているので、弾性ロール部の外周面を基準にして、カッターの切り込み量を簡単かつ容易に調整することができる。
【００３１】
請求項３の発明は、前記駆動ロールを、Ｖリブドベルトのタイプに応じて、交換可能としているので、駆動ロールを、Ｖリブドベルトのタイプに応じて交換することで、いずれのタイプのＶリブドベルトにも適用することができる。
【図面の簡単な説明】
【図１】  本発明に係るＶリブドベルトの幅カット装置の正面図である。
【図２】  同側面図である。
【図３】  同平面図である。
【図４】  本発明に係る駆動ロールの説明図である。
【符号の説明】
１  Ｖリブドベルトの幅カット装置
２  ベルト成形体
３  駆動ロール
３ａ  凸部
３ｂ  凸部
４  テンションロール
５  カッター手段
３２  カッター
４１  弾性ロール部
【図１】
0004179647.tif 000002
【図２】
0004179647.tif 000003
【図３】
0004179647.tif 000004
【図４】
0004179647.tif 000005